(57)【特許請求の範囲】
【請求項１】
複数の観覧席を具え、収納位置ではほぼ垂直な棚状を成す一方で、展開位置では階段状に水平配置される複数枚の床材と、各床材に対して少なくとも一本取付けられた支柱のそれぞれと、各支柱を介して各床材に連結され、各床材を収納位置と展開位置との間で移動可能とする、支柱と同数の移動部材と、床材の展開状態で最も収納向き側に位置する移動部材と隣接配置されるとともに、収納位置に固定される固定部材とを具える収納式階段状観覧席において、
移動部材のそれぞれを、連結されている床材の高さの順に、該移動部材の移動方向と垂直な水平方向に、互いに隣接させて配置するとともに、
各床材の展開状態から、各移動部材を、収納位置に近い順に他の移動部材との掛合を解除して収納位置へ移動可能とする掛合解除手段を具えてなる、収納式階段状観覧席。
【請求項２】
各移動部材のうち、固定部材に隣接配置されている移動部材以外の各移動部材に連結した支柱のそれぞれに、隣接する移動部材同士の掛合および掛合解除に寄与する掛合部材を、揺動自在に設けるとともに、床材の展開状態で最も展開向き側に位置する移動部材を除く各移動部材の展開方向先端位置および固定部材の展開方向先端位置に、隣接する移動部材同士の掛合および掛合解除に寄与するストッパ部材を固定して、前記掛合解除手段を構成し、
固定部材と固定部材の最も近くに配置された二つの移動部材のうち、二番目に収納位置に到達する移動部材に連結した支柱に取付けた掛合部材が、一番目に収納位置に到達する移動部材に設けられたストッパ部材と掛合して、一番目に収納位置に到達する移動部材と二番目に収納位置に到達する移動部材とを掛合させる一方、一番目に収納位置に到達する移動部材が収納を完了する際に、固定部材に設けられたストッパ部材が、二番目に収納位置に到達する移動部材に設けられた掛合部材に当接して、その掛合部材を持ち上げて一番目に収納位置に到達する移動部材と二番目に収納位置に到達する移動部材との掛合を解除するようにし、
隣接する三つの移動部材のうち、三番目に収納位置に到達する移動部材に連結した支柱に取付けた掛合部材が、二番目に収納位置に到達する移動部材に設けられたストッパ部材と掛合して、二番目に収納位置に到達する移動部材と三番目に収納位置に到達する移動部材とを掛合させる一方、二番目に収納位置に到達する移動部材が収納を完了する際に、一番目に収納位置に到達する移動部材に設けられたストッパ部材が、三番目に収納位置に到達する移動部材に設けられた掛合部材に当接して、その掛合部材を持ち上げて、二番目に収納位置に到達する移動部材と三番目に収納位置に到達する移動部材との掛合を解除するようにしてなる、請求項１に記載の収納式階段状観覧席。
【発明の詳細な説明】
【０００１】
【発明の属する技術分野】
この発明は、体育館、講堂、多目的ホール等の屋内施設の他、屋内外の各種競技場等に設置され、不使用時には収納姿勢でほぼ垂直な棚状を成す一方で、使用時には、展開姿勢で階段状の観覧席を形成する収納式階段状観覧席に関するものであり、とくに、収納に際して、最も収納向き側の観覧席を具える床材から順に収納を可能ならしめようとするものである。
【０００２】
【従来の技術】
従来、建造物の収納部内に収納したこの種の収納式階段状観覧席は、観覧席を具える床材を収納位置から展開位置に移動する場合には、高さの最も低い、最も展開向き側の観覧席を具える床材から順次進出作動させて展開し、また展開位置から収納位置に移動する場合にも、高さの最も低い、最も展開向き側の観覧席を具える床材から順次後退作動させて収納していた。
【０００３】
【発明が解決しようとする課題】
しかしながら、上記したように、床材を展開位置から収納位置に移動する場合には、高さの最も低い、最も展開向き側の観覧席を具える床材から順に後退作動させていたため、最も展開向き側の観覧席を具える床材から後退作動を行うにつれて、複数段の棚状となる床材の段数が徐々に増していき、その結果複数枚の床材を支持する建造物の設置床に、局部的に著しく荷重がかかることとなり、とくに、観覧席が全体として収納部側に移動するにつれてこの傾向は強まり、これがため、かかる収納式階段状観覧席を配設することが予定されている競技場等の建造に際しては、収納式階段状観覧席の配設場所を予め考慮した上で、設置床の強度について特別な設計を施さなければならないという問題があった。
【０００４】
また、既存の建造物の設置床には、上述したような、収納式階段状観覧席を配設することを前提とした、その設置床の強度について特別な設計が施されていないことが一般的であったことから、既存の建造物に収納式階段状観覧席を配置した場合には、建造物の設置床において、局所的に著しい荷重がかかった部分については、その設置床の張替え寿命が他の部分のそれに比して短くなることが余儀なくされるという問題もあった。
【０００５】
この発明は、従来技術が抱えるこのような問題を解決することを課題とするものであり、それの目的とするところは、各種建造物に配設される収納式階段状観覧席において、建造物の設置床の局部にのみ荷重が著しくかかることを防止した、収納式階段状観覧席を提案するにある。
【０００６】
【課題を解決するための手段】
この発明の収納式階段状観覧席は、複数の観覧席を具え、収納位置ではほぼ垂直な棚状を成す一方で、展開位置では階段状に水平配置される複数枚の床材と、各床材に対して少なくとも一本取付けられた支柱のそれぞれと、各支柱を介して各床材に連結され、各床材を収納位置と展開位置との間で移動可能とする、支柱と同数の移動部材と、床材の展開状態で最も収納向き側に位置する移動部材と隣接配置されるとともに、収納位置に固定される固定部材とを具え、 移動部材のそれぞれを、連結されている床材の高さの順に、該移動部材の移動方向と垂直な水平方向に、互いに隣接させて配置するとともに、各床材の展開状態から、各移動部材を、収納位置に近い順に他の移動部材との掛合を解除して収納位置へ移動可能とする掛合解除手段を具えてなるものである。
【０００７】
この収納式階段状観覧席では、移動部材のそれぞれを、連結されている床材の高さの順に、該移動部材の移動方向と垂直な水平方向に、互いに隣接させて配置することで、最も近くに位置する床材同士の各々と支柱を介してそれぞれ連結した移動部材部材同士を、相互の動作下で拘束させることを可能ならしめ、これにより、移動部材の全て、ひいては床材の全てを一の連動体とすることができる。
【０００８】
そして、上記したような各床材の連動下において、この収納式階段状観覧席では、各床材の展開状態から、各移動部材を、収納位置に近い順に他の移動部材との掛合を解除して収納位置へ移動可能とする掛合解除手段を具えることで、建造物の設置床の局部にのみ荷重が著しくかかることを防止し、かかる収納式階段状観覧席を配設することが予定されている競技場等の建造に際し、収納式階段状観覧席の配設場所を予め考慮した、設置床の強度について特別な設計を施す必要がなく、また既存の建造物に収納式階段状観覧席を配置する場合にも、その設置床の張替え寿命が他の部分のそれに比して短くなることの懸念を払拭することができる。
【０００９】
かかる収納式階段状観覧席においてより好ましくは、各移動部材のうち、固定部材に隣接配置されている移動部材以外の各移動部材に連結した支柱のそれぞれに、隣接する移動部材同士の掛合および掛合解除に寄与する掛合部材を、揺動自在に設けるとともに、床材の展開状態で最も展開向き側に位置する移動部材を除く各移動部材の展開方向先端位置および固定部材の展開方向先端位置に、隣接する移動部材同士の掛合および掛合解除に寄与するストッパ部材を固定して、上記掛合解除手段を構成し、固定部材と固定部材の最も近くに配置された二つの移動部材のうち、二番目に収納位置に到達する移動部材に連結した支柱に取付けた掛合部材が、一番目に収納位置に到達する移動部材に設けられたストッパ部材と掛合して、一番目に収納位置に到達する移動部材と二番目に収納位置に到達する移動部材とを掛合させる一方、一番目に収納位置に到達する移動部材が収納を完了する際に、固定部材に設けられたストッパ部材が、二番目に収納位置に到達する移動部材に設けられた掛合部材に当接して、その掛合部材を持ち上げて一番目に収納位置に到達する移動部材と二番目に収納位置に到達する移動部材との掛合を解除するようにし、隣接する三つの移動部材のうち、三番目に収納位置に到達する移動部材に連結した支柱に取付けた掛合部材が、二番目に収納位置に到達する移動部材に設けられたストッパ部材と掛合して、二番目に収納位置に到達する移動部材と三番目に収納位置に到達する移動部材とを掛合させる一方、二番目に収納位置に到達する移動部材が収納を完了する際に、一番目に収納位置に到達する移動部材に設けられたストッパ部材が、三番目に収納位置に到達する移動部材に設けられた掛合部材に当接して、その掛合部材を持ち上げて、二番目に収納位置に到達する移動部材と三番目に収納位置に到達する移動部材との掛合を解除する。
【００１０】
かかる収納式階段状観覧席では、各移動部材のうち、固定部材に隣接配置されている移動部材以外の各移動部材に連結した支柱のそれぞれに、隣接する移動部材同士の掛合および掛合解除に寄与する掛合部材を、揺動自在に設けるとともに、床材の展開状態で最も展開向き側に位置する移動部材を除く各移動部材の展開方向先端位置および固定部材の展開方向先端位置に、隣接する移動部材同士の掛合および掛合解除に寄与するストッパ部材を固定して、前記掛合解除手段を構成することで、各床材の収納状態および展開状態を有利に実現するのみならず、各床材の展開状態から、各移動部材を、それらの連結されている床材の高さの順に移動させて、各床材を収納状態とすることを、簡易な構造をもって実現することができる。
【００１１】
また、この収納式階段状観覧席では、固定部材と固定部材の最も近くに配置された二つの移動部材のうち、二番目に収納位置に到達する移動部材に連結した支柱に取付けた掛合部材が、一番目に収納位置に到達する移動部材に設けられたストッパ部材と掛合して、一番目に収納位置に到達する移動部材と二番目に収納位置に到達する移動部材とを掛合させる一方、一番目に収納位置に到達する移動部材が収納を完了する際に、固定部材に設けられたストッパ部材が、二番目に収納位置に到達する移動部材に設けられた掛合部材に当接して、その掛合部材を持ち上げて一番目に収納位置に到達する移動部材と二番目に収納位置に到達する移動部材との掛合を解除するようにし、隣接する三つの移動部材のうち、三番目に収納位置に到達する移動部材に連結した支柱に取付けた掛合部材が、二番目に収納位置に到達する移動部材に設けられたストッパ部材と掛合して、二番目に収納位置に到達する移動部材と三番目に収納位置に到達する移動部材とを掛合させる一方、二番目に収納位置に到達する移動部材が収納を完了する際に、一番目に収納位置に到達する移動部材に設けられたストッパ部材が、三番目に収納位置に到達する移動部材に設けられた掛合部材に当接して、その掛合部材を持ち上げて、二番目に収納位置に到達する移動部材と三番目に収納位置に到達する移動部材との掛合を解除することを可能ならしめることで、隣接する移動部材同士の掛合およびその解除をも、このような簡易な手段により実現することができる。
【００１２】
【発明の実施の形態】
以下に、この発明の実施の形態を図面に示すところに基づいて説明する。
図１〜５は、この発明にかかる収納式階段状観覧席の実施の形態を、その床材の収納動作順に示した斜視図であり、これらの図において、参照符号１は床材、２は支柱、３移動部材、そして４は固定部材をそれぞれ示すものであり、観覧席自体（実際は、各床材１上に少なくとも一つ設けられている）は図示していない。
【００１３】
図１は、この発明にかかる収納式階段状観覧席の、各床材１の展開状態を示す斜視図であり、同図においては、かかる収納式階段状観覧席を、階段状に水平配置した各床材１と、各床材１に対して少なくとも一本、ここでは二本取付けられた支柱２のそれぞれと、各支柱２を介して各床材１に連結され、各床材１を収納位置と展開位置との間で移動可能とする、支柱２と同数の移動部材３と、床材１の展開状態で最も収納向き側に位置する移動部材と該移動部材の移動方向と垂直な水平方向に隣接配置されるとともに、収納位置に固定される固定部材４とから構成する。
また、同図において、参照符号１〜３は、最も展開向き側に位置する観覧席にかかる床材、支柱および移動部材にのみ付したが、その他の観覧席にかかる床材等についても、全く同じ構造を有することは言うまでもない。
なお、同図に示した固定部材４を使用せずに、最も収納向き側に位置する観覧席にかかる移動部材に、固定部材４の機能を担保させてもよい。
【００１４】
またここでは、移動部材３のそれぞれを、連結されている床材１の高さの順に、該移動部材３の移動方向と垂直な水平方向に、隣接配置する。
【００１５】
次に、以上のような構造を有する収納式階段状観覧席の、床材１の展開位置から収納位置への移動について、図１〜図５にしたがって説明する。
すなわち、各床材１の展開状態から、各移動部材３を、それらの連結されている床材１の高さが高い順に収納位置に到達させて、各床材１を収納位置とするにあたり、まず、図１に示す各床材１の展開状態から、隣接する全移動部材の掛合状態を保った状況下で、全移動部材を、図示していない駆動手段により収納位置方向に移動させ、図２に示すように、移動部材３ａが固定部材４の長さ方向中央部に設けられているストッパに当接して、移動部材３ａが収納位置に到達するに際し、固定部材４の展開方向先端位置に設けられたストッパ部材が、二番目に収納位置に到達する移動部材３ｂに設けられた掛合部材に当接して、その掛合部材を持ち上げて一番目に収納位置に到達する移動部材３ａと二番目に収納位置に到達する移動部材３ｂとの掛合を解除させる。
さらに、図２に示すように、移動部材３ａを除く移動部材３ｂ〜３ｅを収納位置方向に移動させる。
【００１６】
次に、図３に示すように、移動部材３ｂが収納位置に到達を完了する際には、隣接する三つの移動部材３ａ，３ｂ，３ｃのうち、一番目に収納位置に到達する移動部材３ａに設けられたストッパ部材が、三番目に収納位置に到達する移動部材３ｃに設けられた掛合部材に当接して、その掛合部材を持ち上げて、二番目に収納位置に到達する移動部材３ｂと三番目に収納位置に到達する移動部材３ｃとの掛合を解除し、二枚の床材１をほぼ垂直な棚状に収納する。
【００１７】
そして図４に示すように、移動部材３ｃ，３ｄ，３ｅを掛合させた状態で収納方向に移動して、移動部材３ｃの収納を完了した際には、隣接する三つの移動部材３ｂ，３ｃ，３ｄのうち、移動部材３ｂに設けられたストッパ部材が、移動部材３ｄに設けられた掛合部材に当接し、その掛合部材を持ち上げて、移動部材３ｃと移動部材３ｄとの掛合を解除し、三枚の床材１をほぼ垂直な棚状に収納する。
【００１８】
以上に示した収納動作を繰り返して、最終的には図５に示すように、五枚の床材１をほぼ垂直な棚状に収納する。
【００１９】
上述した収納式階段状観覧席によれば、床材１の相互の連動下において、各床材１の展開状態から、各移動部材３を、それらの連結されている床材１の高さの順に移動させて、各床材１を収納位置とすることを可能ならしめることで、建造物の設置床の局部にのみ荷重が著しくかかることを防止し、このような収納式階段状観覧席を配設することが予定されている競技場等の建造に際し、収納式階段状観覧席の配設場所を予め考慮した、設置床の強度について特別な設計を施す必要をなくし、また既存の建造物に収納式階段状観覧席を配置する場合にも、その設置床の張替え寿命が他の部分のそれに比して短くなることの懸念を払拭することができる。
【００２０】
次に、以上に示したこの発明にかかる収納式階段状観覧席について、その移動部材３の展開位置から収納位置に到るまでの移動形態についての細部機構、とくに図１〜図５の移動部材３ｂ，３ｃを例にとって、詳細に説明する。
すなわち、図６に示すように、移動部材３ｃに連結した支柱２に、隣接する移動部材３ｂ，３ｃの掛合および掛合解除に寄与する掛合部材５を、揺動自在に設けるとともに、隣接する移動部材３ｂ，３ｃの掛合および掛合解除に寄与するストッパ部材６を、移動部材３ｂの展開方向先端位置に固定し、隣接する移動部材３ｂ，３ｃのうち後に収納位置に移動する移動部材３ｃに連結した支柱２に取付けた掛合部材５が、先に収納位置に移動する移動部材３ｂに設けられたストッパ部材６と掛合して、隣接する移動部材３ｂ，３ｃを連結させ、掛合部材５の押圧部分５ａが移動部材３ｂを収納位置方向に押圧することで、上記掛合状態が有利に担保されたまま、移動部材３ｂ，３ｃがともに収納位置方向に移動する。
【００２１】
そして、図７に示すように、移動部材３ｂが収納位置まで移動した際に、後に収納位置に移動する移動部材３ｃに連結した支柱２に設けた掛合部材５が、先に収納位置に移動した移動部材３ｂに隣接配置された移動部材３ａに設けたストッパ部材７により持ち上げられて、これらの移動部材３ｂ，３ｃの掛合が解除される。
【００２２】
以上は、図１に示す移動部材３ｂ，３ｃを例にとって、隣接する移動部材の掛合およびその解除について説明したが、かかる掛合解除態様は移動部材３ｂ，３ｃ同士に限らず、いずれの隣接移動部材同士にも当てはまる。
【００２３】
かくして、この発明によれば、体育館、講堂、多目的ホール等の屋内施設の他、屋内外の各種競技場等に設置され、不使用時には収納姿勢でほぼ垂直な棚状を成す一方で、使用時には、展開姿勢で階段状の観覧席を形成し、とくに、収納に際して、最も収納向き側の観覧席を具える床材から順に収納を可能ならしめる収納式階段状観覧席を提供することができる。
【図面の簡単な説明】
【図１】  この発明にかかる収納式階段状観覧席の、床材の展開状態を示す斜視図である。
【図２】  この発明にかかる収納式階段状観覧席の、床材の展開状態から収納状態への移行段階における一状態を示す斜視図である。
【図３】  この発明にかかる収納式階段状観覧席の、床材の展開状態から収納状態への移行段階における一状態を示す斜視図である。
【図４】  この発明にかかる収納式階段状観覧席の、床材の展開状態から収納状態への移行段階における一状態を示す斜視図である。
【図５】  この発明にかかる収納式階段状観覧席の、床材の収納状態を示す斜視図である。
【図６】  この発明にかかる収納式階段状観覧席の、隣接する移動部材同士の掛合時を示す斜視図である。
【図７】  この発明にかかる収納式階段状観覧席の、隣接する移動部材同士の掛合解除時を示す斜視図である。
【符号の説明】
１  床材
２  支柱
３  移動部材
３ａ〜３ｅ  各移動部材
４  固定部材
５  掛合部材
５ａ  押圧部分
６，７  ストッパ部材
【図１】
0004382313.tif 000002
【図２】
0004382313.tif 000003
【図３】
0004382313.tif 000004
【図４】
0004382313.tif 000005
【図５】
0004382313.tif 000006
【図６】
0004382313.tif 000007
【図７】
0004382313.tif 000008